(57)【要約】【課題】操作が簡単であり、且つ１つ或いは複数のロードの停電をコントロールすることができるノブスイッチを提供する。【解決手段】本発明に係るノブスイッチは、電源装置及び複数のロードを連接するために用いられ、複数の第二導電片が設置された固定ベースと、固定ベースに回転可能に穿設され且つ複数の第一導電片が設置された回転機構と、調整ロックと、を備え、回転機構が回転する時、複数の第一導電片は、第二導電片にそれぞれ接触することができ、各々の第二導電片は、電源装置に電気的に連接する第一導電部及びロードに電気的に連接する第二導電部を備え、第一導電部及び第二導電部は、一定の間隔を有し、回転機構が回転する時、各々の第一導電片は、対応する第一導電部及び第二導電部の電気接続を導通し、調整ロックを調節することにより、各々の第一導電片は、対応する第一導電部及び第二導電部の電気接続をオフすることができる。【選択図】図３
2011091038.tif 000002
【特許請求の範囲】
【請求項１】
電源装置及び複数のロードを連接するために用いられるノブスイッチにおいて、
複数の第二導電片が設置されている固定ベースと、前記固定ベースに回転可能に穿設され且つ複数の第一導電片が設置されている回転機構と、調整ロックと、を備え、
前記回転機構が回転する時、前記複数の第一導電片は、前記第二導電片にそれぞれ接触することができ、各々の前記第二導電片は、前記電源装置に電気的に連接する第一導電部及び前記ロードに電気的に連接する第二導電部を備え、前記第一導電部及び前記第二導電部は、一定の間隔を有し、前記回転機構が回転する時、各々の第一導電片は、該第一導電片に対応する第二導電片の前記第一導電部及び第二導電部の電気接続を導通し、前記調整ロックを調節することにより、各々の第一導電片は、該第一導電片に対応する前記第二導電片の前記第一導電部及び第二導電部の電気接続をオフすることができることを特徴とするノブスイッチ。
【請求項２】
前記回転機構は、前記第一導電片に対応する複数の凹溝が開設されるシャフトを備え、前記凹溝は、第一凹部及び第二凹部を備え、前記第一導電片は、当接部及び前記当接部に連接される突出部を備え、前記突出部には、導電材料によって製造した一定の間隔を有する第一接続部及び第二接続部が設置され、前記調整ロックは、前記第一導電片の当接部を前記第一凹部或いは前記第二凹部に収容させるために用いられ、前記第一導電片の当接部が前記第一凹部に収容される時、前記第一導電片の第一接続部及び第二接続部の端面は、前記第二導電片の第一導電部及び第二導電部の端面に連接し、前記第一導電片の当接部が前記第二凹部に収容される時、前記第一接続部の端面は、前記第一導電部の端面に平行に接合し、前記第二接続部の端面は、前記第二導電部端面に平行に接合することを特徴とする請求項１に記載のノブスイッチ。
【請求項３】
前記ノブスイッチは、フィードバック装置をさらに備え、前記シャフトが回転される時、前記フィードバック装置は、音を出すことができることを特徴とする請求項２にノブスイッチ。
【請求項４】
前記ノブスイッチは、固定ホルダー、前記シャフトの内部に設置されている固定軸、前記シャフトの外周面に設置されている複数の第一凸歯をさらに備え、前記凹溝は、前記シャフトの前記固定軸に対応する内壁に設置され、前記シャフトの中心軸線方向に沿って前記複数の第一凸歯及び前記複数の第一導電片に対応する複数の第一貫通孔が開設され、前記固定ホルダーは、前記第一凸歯に噛合する２つの第二凸歯が設置され、前記フィードバック装置は、前記第一凸歯及び前記第二凸歯からなり、前記複数の凹溝は、前記複数の第一貫通孔にそれぞれ連通し、前記第一導電片の突出部は、該突出部に対応する第一貫通孔を貫いて前記シャフトの前記固定軸に背離する表面に突出することを特徴とする請求項３に記載のノブスイッチ。
【請求項５】
前記固定ベースは、台座及び前記台座に固定されている第一スリーブをさらに備え、前記シャフトは、前記第一スリーブに穿設され、前記第二導電片は、前記第一スリーブの中心軸線方向に沿って前記第一スリーブの前記シャフトに対応する内壁に設置され、前記第一スリーブの中心軸線方向に沿って前記第一貫通孔に対応する第二貫通孔が開設され、前記調整ロックは、押圧部及び調節部を備え、前記調節部は、前記第二貫通孔を貫いた後、前記第二貫通孔に対応する前記第一導電片を回転することで、前記第一導電片の当接部を前記第一凹部或いは第二凹部に収容させることを特徴とする請求項４に記載のノブスイッチ。
【請求項６】
前記ノブスイッチは、複数の第一導電片に対応して設置されている複数の第一弾性ユニットをさらに備え、前記第一弾性ユニットの一端は、前記固定軸に連接し、前記第一弾性ユニットの他端は、前記第一導電片の当接部に当接されていることを特徴とする請求項４に記載のノブスイッチ。
【請求項７】
前記固定ホルダーは、支架、係合ユニット及び第二弾性ユニットをさらに備え、前記支架は、連接部、前記連接部の一端に直交して連接されている第一支持部、前記第一支持部に平行に且つ前記連接部の他端に直交して連接されている第二支持部を備え、前記第一支持部には、第一開口が開設され、前記第二支持部には、前記第一開口に対応する第二開口が開設され、記係合ユニットは、歯合部、前記歯合部の両端に着脱可能に組立てられる第一固定部及び第二固定部を備え、前記２つの第二凸歯は、前記歯合部の前記連接部に背離する表面に設置され、前記歯合部の一端は、前記第一支持部の第一開口を貫いて前記第一固定部に固定的に連接し、前記歯合部の他端は、前記第二支持部の第二開口を貫いて前記第二固定部に固定的に連接し、前記第二弾性ユニットの一端は、前記連接部に固定され、前記第二弾性ユニットの他端は、前記歯合部に固定され、前記歯合部を押圧することに用いられることを特徴とする請求項２に記載のノブスイッチ。
【請求項８】
前記ノブスイッチは、ハウジングをさらに備え、前記ハウジングは、底板と、前記底板に連接されている第一側板と、前記底板及び前記第一側板に連接されている第二側板を備え、前記連接部は、前記第一側板に固定され、前記第一支持部は、前記底板に固定されることを特徴とする請求項７に記載のノブスイッチ。
【請求項９】
前記ノブスイッチは、固定スリーブ及びノブをさらに備え、前記固定スリーブは、固定板及び前記固定板に固定されている第二スリーブを備え、前記シャフトの一端が前記固定ベースの第一スリーブを貫いて前記ノブに設置され、前記シャフトの他端が前記第二スリーブの内部に回転可能に設置されていることを特徴とする請求項２に記載のノブスイッチ。
【発明の詳細な説明】
【技術分野】
【０００１】
本発明は、ノブスイッチに関するものである。
【背景技術】
【０００２】
現在、家庭スイッチシステムのような電子スイッチシステムは、一般的に１つのメインスイッチ及び複数のアシスタントスイッチを備える。前記メインスイッチは、電源装置と複数のロードとの間に連接されて、前記電源装置と前記複数のロードとの間の電気的な接続をオンするか或いはオフするために用いられる。前記複数のアシスタントスイッチは、前記メインスイッチと前記複数のロードとの間にそれぞれに連接されて、前記メインスイッチが前記電源装置と前記複数のロードとの間の電気的な接続をオンした場合、前記電源装置と各々のアシスタントスイッチに対応するロードとの間の電気的な接続をオンするか或いはオフして、前記電源装置が各々のアシスタントスイッチに対応するロードに対する供電をコントロールする。
【０００３】
しかしながら、前記メインスイッチの制御によって、前記複数のロードは全て給電されるか又は全て停電され、単一のロード及び複数のロードの中の部分のロードの給電及び停電をコントロールすることができない。電線を節約するために、前記アシスタントスイッチは、一般的に該アシスタントスイッチに対応するロードの近傍に取付けられるため、前記アシスタントスイッチの位置は、比較的に分散する。だから、複数のロードの中の特定のロードの給電及び停電をコントロールするために、ユーザーは、特定のロードに対応するアシスタントスイッチの位置に到着して操作を行う必要があるので、面倒である。
【発明の概要】
【発明が解決しようとする課題】
【０００４】
以上の問題点に鑑みて、本発明は、操作が簡単であり、且つ１つ或いは複数のロードの停電をコントロールすることができるノブスイッチを提供する。
【課題を解決するための手段】
【０００５】
本発明に係るノブスイッチは、電源装置及び複数のロードを連接するために用いられ、複数の第二導電片が設置されている固定ベースと、前記固定ベースに回転可能に穿設され且つ複数の第一導電片が設置されている回転機構と、調整ロックと、を備え、前記回転機構が回転する時、前記複数の第一導電片は、前記第二導電片にそれぞれ接触することができ、各々の第二導電片は、前記電源装置に電気的に連接する第一導電部及び前記ロードに電気的に連接する第二導電部を備え、前記第一導電部及び前記第二導電部は、一定の間隔を有し、前記回転機構が回転する時、各々の第一導電片は、該第一導電片に対応する第二導電片の前記第一導電部及び第二導電部の電気接続を導通し、前記調整ロックを調節することにより、各々の第一導電片は、該第一導電片に対応する前記第二導電片の前記第一導電部及び第二導電部の電気接続をオフすることができる。
【発明の効果】
【０００６】
従来の技術と比べると、本発明に係るノブスイッチは、第一導電部及び第二導電部を含む第二導電片が設置され、回転機構が回転される時、調整ロックを調節することを介して、第一導電片は、第二導電片の第一導電部と第二導電部との電気接続を選択的にオンするか、或いはオフし、だから、操作が簡単で、１つ或いは複数のロードの停電をントロールできる。
【図面の簡単な説明】
【０００７】
【図１】本発明に係るノブスイッチの立体図である。
【図２】図１に示したノブスイッチの内部の構造を示す図である。
【図３】図１に示したノブスイッチの部分の分解図である。
【図４】図２に示したノブスイッチのＩＶ―ＩＶに沿う断面図である。
【図５】図３に示したノブスイッチのシャフトの構造を示す図である。
【図６】第一導電片と第二導電片とが接触した第一状態を示す図である。
【図７】第一導電片と第二導電片とが接触した第二状態を示す図である。
【発明を実施するための形態】
【０００８】
以下、図面を参照して、本発明の実施形態について説明する。
【０００９】
図１を参照すると、本発明の実施形態に係るノブスイッチ１００は、電源装置（図には示せず）及び複数のロード２００に電気連接し、前記電源装置と前記複数のロード２００との間の電気的な接続を選択的にオンするか或いはオフするために用いられる。前記ノブスイッチ１００が前記電源装置と前記複数のロード２００との間の電気的な接続をオンする場合、前記複数のロード２００は、前記電源装置から電圧を供給されて作動する。前記ノブスイッチ１００が前記電源装置と前記複数のロード２００との間の電気的な接続をオフする場合、前記複数のロード２００は、電源装置からの電圧を供給されないため、作動を停止する。前記ロード２００は、テレビ、照明灯、電動ファン、冷蔵庫などである。本実施方式において、前記ロード２００は発光ダイオード（ＬＥＤ）である。
【００１０】
図２及び図３を参照すると、前記ノブスイッチ１００は、中空の直方体状のハウジング１０と、前記ハウジング１０に収容されている固定ベース２０、固定スリーブ３０、回転機構４０、固定ホルダー５０及び調整ロック６０と、を備える。前記複数のロード２００は、前記ハウジング１０の外部に設置されている。
【００１１】
前記ハウジング１０は、取り外し可能な構造であり、底板１２と、前記底板１２に直交して連接されている第一側板１４と、前記底板１２及び前記第一側板１４に直交して連接されている第二側板１５と、を備える。前記底板１２、前記第一側板１４及び前記第二側板１５は、全て矩形板状を呈する。
【００１２】
前記固定ベース２０は、前記ハウジング１０の底板１２に固定されている台座２２及び前記台座２２に固定されている第一スリーブ２４を備える。前記第一スリーブ２４は、中空の円筒である。前記第一スリーブ２４の中心軸線方向に沿って複数の円柱形の第一貫通孔２５０が等間隔に開設されている。前記複数の第一貫通孔２５０は１つの直線上に位置する。
【００１３】
前記固定スリーブ３０は、前記ハウジング１０の第二側板１５に固定されている固定板３２及び一端が前記固定板３２に固定されている中空の円筒状の第二スリーブ３４を備える。
【００１４】
図４及び図５を参照すると、前記回転機構４０は、前記第一スリーブ２４に穿設されているシャフト４２と、前記シャフト４２の一端に着脱可能に設置されるノブ４４と、前記シャフト４２の外周面に設置されている複数の第一凸歯４５と、複数の第一導電片４６と、前記シャフト４２の内部に設置されている固定軸４９と、前記複数の第一導電片４６に対応して前記固定軸４９に設置されている第二弾性ユニット４８と、を備える。
【００１５】
前記シャフト４２は、中空の円筒であり、前記シャフト４２の一端は前記固定ベース２０の第一スリーブ２４を通して前記ノブ４４に着脱可能に取り付けられ、前記シャフト４２の他端は前記固定スリーブ３０の第二スリーブ３４の内部に回転可能に取り付けられる。前記複数の第一凸歯４５は、前記第一スリーブ２４と前記第二スリーブ３４との間に位置する。本実施方式において、前記複数の第一凸歯４５の歯数は、１２であり、該１２の凸歯は、前記シャフト４２の外周面に等間隔で配設されている。
【００１６】
前記シャフト４２の中心軸線方向に沿って前記複数の第一貫通孔２５０にそれぞれに対応する複数の円柱形の第二貫通孔４２０が開設されており、前記第二貫通孔４２０は、前記シャフト４２の円周方向に沿って前記複数の第一凸歯４５にそれぞれに対応する。
【００１７】
前記シャフト４２の前記固定軸４９に対応する内壁には、前記複数の第二貫通孔４２０のそれぞれに連通する複数の十字状凹溝４３が開設されている。前記十字状凹溝４３は、互いに直交する第一凹部４３４及び第二凹部４３５を備える。前記第一凹部４３４及び第二凹部４３５は、全て直方体状を呈する。
【００１８】
前記複数の第一導電片４６は、それぞれ前記複数の第二貫通孔４２０に設置される。前記第一導電片４６は、“Ｔ”字状を呈し、当接部４６０及び前記当接部４６０の中点に直交して連接されている突出部４６２を備える。前記当接部４６０は、直方体状を呈し、その長さは前記第二貫通孔４２０の直径より大きい。前記突出部４６２は、円柱状を呈し、その直径が前記第二貫通孔４２０の直径より小さい。前記突出部４６２は、前記第二貫通孔４２０を貫いて前記シャフト４２の前記固定軸４９に背離する表面に突出する。前記当接部４６０は、前記十字状凹溝４３の第一凹部４３４或いは第二凹部４３５に収容されることができる。初期状態で、前記当接部４６０は、前記第一凹部４３４に収容される。
【００１９】
前記突出部４６２の前記当接部４６０から遠い端部には、直方体状の凹溝が開設されて、対向する第一接続部４６４及び第二接続部４６５を形成する。前記第一接続部４６４及び前記第二接続部４６５は、互いに平行し且つ一定の間隔を有する。前記第一接続部４６４及び第二接続部４６５は、全て導電材料によって製造される。
【００２０】
前記固定軸４９は、円柱体状を呈する。前記第二弾性ユニット４８の一端は、前記固定軸４９に固定され、前記第二弾性ユニット４８の他端は、前記第一導電片４６に当接されている。本実施方式において、前記第二弾性ユニット４８は、バネである。
【００２１】
前記固定ホルダー５０は、支架５２、係合ユニット５４及び第一弾性ユニット５６を備える。前記支架５２は、前記ハウジング１０の第一側板１４に固定されている連接部５２０と、前記ハウジング１０の底板１２に固定され且つ前記連接部５２０の一端に直交して連接されている第一支持部５２２と、前記第一支持部５２２に平行し且つ前記連接部５２０の他端に直交して連接されている第二支持部５２４と、を備える。前記連接部５２０、前記第一支持部５２２及び前記第二支持部５２４は、全て直方体状を呈する。前記第一支持部５２２には、第一開口５３２が開設され、前記第二支持部５２４には、前記第一開口５３２に対応する第二開口５３４が開設されている。
【００２２】
前記係合ユニット５４は、長尺状の歯合部５４０と、前記歯合部５４０の両端に着脱可能に組立てられる第一固定部５４２及び第二固定部５４４と、を備える。前記歯合部５４０の長さと前記連接部５２０の長さは、ほぼ等しい。前記歯合部５４０の一端は、前記第一支持部５２２の第一開口５３２を貫いて前記第一固定部５４２に固定的に連接し、前記歯合部５４０の他端は、前記第二支持部５２４の第二開口５３４を貫いて前記第二固定部５４４に固定的に連接する。
【００２３】
前記歯合部５４０の前記第一凸歯４５に対応する表面の中部には、前記第一凸歯４５に噛合する２つの第二凸歯５５０が設置されている。前記複数の第一凸歯４５と前記２つの第二凸歯５５０とは、フィードバック装置７０を構成する。前記シャフト４２が回転する時、前記フィードバック装置７０は音を出すことができる。前記第一弾性ユニット５６の一端は、前記支架５２の連接部５２０に固定され、前記第一弾性ユニット５６の他端は、前記係合ユニット５４の歯合部５４０に固定されて、前記歯合部５４０を押圧することができる。本実施方式において、前記歯合部５４０は、弾性伸縮可能な材料によって製造し、前記第一弾性ユニット５６は、バネである。
【００２４】
前記ノブ４４を回転させると、前記シャフト４２が回転するとともに、前記複数の第一凸歯４５を連動して回転させて、前記２つの第二凸歯５５０の間の空間に収容される１つの第一凸歯４５が前記第二凸歯５５０を押圧して運動させるため、前記歯合部５４０が前記連接部５２０に向かって弾性変形して、前記第一弾性ユニット５６を圧縮する。前記第一凸歯４５が前記第二凸歯５５０を超える時、前記歯合部５４０は、前記第一弾性ユニット５６の弾力により、前記第一凸歯４５に向かって弾性回復して、前記第一凸歯４５に隣り合う他の第一凸歯４５が前記２つの第二凸歯５５０の間の空間に収容される。だから、前記ノブ４４を回転させる時、前記フィードバック装置７０が「クリック」のような音を出して、ユーザーに前記ノブスイッチ１００が絶えず触発されるヒントを与える。
【００２５】
前記調整ロック６０は、「Ｔ」字状を呈し、円柱形の押圧部６２及び円柱状の調節部６４を備える。前記押圧部６２の直径は、前記第一スリーブ２４の第一貫通孔２５０の直径より大きく、前記調節部６４の直径は、前記第一貫通孔２５０の直径より小さい。前記調節部６４は、前記第一貫通孔２５０を貫いて前記第一貫通孔２５０に対応する第一導電片４６の直方体状の凹溝に挿し込まれる。前記調整ロック６０を利用して前記第一導電片４６を回転させることで、前記第一導電片４６の当接部４６０を前記第一凹部４３４或いは前記第二凹部４３５に収容させることができる。前記調整ロック６０は、絶縁材料によって製造される。
【００２６】
図６及び図７を参照すると、前記ノブスイッチ１００は、前記第一スリーブ２４の前記シャフト４２に対応する内壁に前記第一スリーブ２４の中心軸線方向に沿って等間隔で設置されている複数の第二導電片２４０をさらに備える。前記シャフト４２が回転することにより、前記複数の第一凸歯４５の中の１つの第一凸歯４５が前記２つの第二凸歯５５０の間の空間に収容される時、前記複数の第二導電片２４０は、前記シャフト４２の中心軸線方向に沿って設置されている一組の複数の第一導電片４６にそれぞれに接触することができる。
【００２７】
前記第二導電片２４０は、導電材料からなる第一導電部２４２及び第二導電部２４４を備える。前記第一導電部２４２及び第二導電部２４４は、互いに平行し且つ一定の間隔を有する。前記第一導電部２４２は、電源装置（図には示せず）と電気的に接続し、前記第二導電部２４４は、前記第一スリーブ２４を貫いて導線によって前記ロード２００に電気接続する。
【００２８】
前記ノブスイッチ１００を使用する場合、前記ノブ４４を回転させて、前記第一導電片４６を前記第二導電片２４０に接触させる。図６に示したように、初期の状態で、前記第一導電片４６の当接部４６０は、前記第一凹部４３４に収容されるため、前記第一導電片４６の第一接続部４６４及び第二接続部４６５の端面は、前記第二導電片２４０の第一導電部２４２及び第二導電部２４４端面に連接する。従って、前記第一接続部４６４及び第二接続部４６５は、前記第一導電部２４２及び第二導電部２４４を導通し、前記第二導電片２４０に対応するロード２００は、電源装置から電力を供給されて作動することができる。
【００２９】
前記調整ロック６０を利用して前記第一導電片４６の当接部４６０を前記第二凹部４３５に収容させる方法は、下記のステップを含む。まず、前記調整ロック６０の調節部６４を前記第一貫通孔２５０を通してから前記第一貫通孔２５０に対応する第一導電片４６の長方体状の凹溝に挿し込め、前記当接部４６０に圧力を加えて前記第二弾性ユニット４８を圧縮することで、前記当接部４６０を前記第一凹部４３４から離脱させる。それから、前記調整ロック６０を回転させることにより、前記前記第一導電片４６を連動して９０°回転させ、従って、前記当接部４６０は、前記第二弾性ユニット４８の弾力によって前記第二凹部４３５に収容される。
【００３０】
前記ノブ４４を回転させることにより、前記第一導電片４６の当接部４６０が前記第二凹部４３５に収容される場合、前記第一導電片４６の第一接続部４６４の端面は、前記第二導電片２４０の第一導電部２４２の端面に平行的に接合し、前記第一導電片４６の第二接続部４６５の端面は、前記第二導電片２４０の第二導電部２４４端面に平行的に接合する。図７に示したように、前記第一接続部４６４及び第二接続部４６５は、前記第一導電部２４２及び第二導電部２４４を導通しないため、前記第二導電片２４０に対応するロード２００は、電源装置から電力を接収して作動することができない。
【００３１】
本実施方式においてのノブスイッチ１００は、第一導電片４６の第一接続部４６４及び第二接続部４６５の方向を調節することによって、複数のロード２００の中のあるロードの作動を選択性的に停止することができる。また、前記ノブスイッチ１００は、ノブ４４がさらに設置され、ユーザーは、第一導電片４６の第一接続部４６４及び第二接続部４６５の方向を調節することによって、複数のロード２００の作動/停止の方式を事前に設定することができ、それから、ノブ４４を回転させることにより、複数のロード２００をコントロールすることができる。
【００３２】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００３３】
１００  ノブスイッチ
２００  ロード
１０  ハウジング
１２  底板
１４  第一側板
１５  第二側板
２０  固定ベース
２２  台座
２４  第一スリーブ
２４０  第二導電片
２４２  第一導電部
２４４  第二導電部
２５０  第一貫通孔
３０  固定スリーブ
３２  固定板
３４  第二スリーブ
４０  回転機構
４２  シャフト
４２０  第二貫通孔
４３  十字状凹溝
４３４  第一凹部
４３５  第二凹部
４４  ノブ
４５  第一凸歯
４６  第一導電片
４６０  当接部
４６２  突出部
４６４  第一接続部
４６５  第二接続部
４８  第二弾性ユニット
４９  固定軸
５０  固定ホルダー
５２  支架
５２０  連接部
５２２  第一支持部
５２４  第二支持部
５３２  第一開口
５３４  第二開口
５４  係合ユニット
５４０  歯合部
５４２  第一固定部
５４４  第二固定部
５５０  第二凸歯
５６  第一弾性ユニット
６０  調整ロック
６２  押圧部
６４  調節部
７０  フィードバック装置
【図１】
2011091038.tif 000003
【図２】
2011091038.tif 000004
【図３】
2011091038.tif 000005
【図４】
2011091038.tif 000006
【図５】
2011091038.tif 000007
【図６】
2011091038.tif 000008
【図７】
2011091038.tif 000009